(57)【要約】      （修正有）【課題】様々な種類の貯水タンクユニットに対応することが可能でかつ施工性に優れた貯水タンクユニット用基礎架台を提供する。【解決手段】貯水タンクユニット用基礎架台は、第一ブロックと第二ブロックをプレートとボルトを用いて連結し、貯水タンクユニットを支持固定する。第一ブロックと第二ブロックは、ブロック本体と、ブロック本体の上面に埋め込まれた、ボルト・ナットが摺動可能に係合された２または３本のレールから構成される。ブロック本体の両側面には持ち手掛かり用の凹部が設けられており、レールは、上面にスリット状の開口部が設けられ、端部が前記ボルト・ナットを挿入可能なように開放されている。第一ブロックと第二ブロックは、互いのレールが垂直になるように連結されている。【選択図】図１
0003153763.tif 000002
【実用新案登録請求の範囲】
【請求項１】
第一ブロックと第二ブロックをプレートとボルトを用いて連結し、貯水タンクユニットを支持固定する貯水タンクユニット用基礎架台であって、
前記第一ブロックは、ブロック本体と、前記ブロック本体の上面に埋め込まれた、ボルト・ナットが摺動可能に係合された２または３本のレールから構成され、前記ブロック本体の両側面には持ち手掛かり用の凹部が設けられており、前記レールは、上面にスリット状の開口部が設けられ、両方の端部が前記ボルト・ナットを挿入可能なように開放されており、
前記第二ブロックは、ブロック本体と、前記ブロック本体の上面に埋め込まれた、ボルト・ナットが摺動可能に係合された３本のレールから構成され、前記ブロック本体の両側面には持ち手掛かり用の凹部が設けられており、前記レールは、上面にスリット状の開口部が設けられ、片方の端部が前記ボルト・ナットを挿入可能なように開放されており、
前記第一ブロックと前記第二ブロックは、前記第一ブロックのレールに対して、前記第二ブロックのレールが垂直になるように配置されて互いに連結されていることを特徴とする貯水タンクユニット用基礎架台。
【請求項２】
前記第一ブロックおよび前記第二ブロックのレールの断面形状は、上段の溝部と上段の溝部よりも幅が狭い下段の溝が設けられた下向きの凸形状を成しており、前記上段の溝部は前記ボルト・ナットのナットおよびボルトのヘッド部およびナットが摺動可能でかつ回転不可能な幅に形成され、前記下段の溝部は前記ボルト・ナットのボルトの軸が摺動可能な幅に形成され、前記開口部の幅は、前記ボルト・ナットのナットの直径よりも小さく、前記ボルトの軸の直径よりも大きく形成されていることを特徴とする請求項１に記載の貯水タンクユニット用基礎架台。
【考案の詳細な説明】
【技術分野】
【０００１】
本考案は、貯水タンクユニットを支持固定する基礎として用いられる貯水タンクユニット用基礎架台に関する。
【背景技術】
【０００２】
貯水タンクユニットを屋外に設置する際には、転倒防止のために堅固な基礎が必要であり、地面にコンクリートを打設して基礎としたり、あるいはコンクリートブロックを並べ基礎として、これらの基礎にアンカーボルト等を用いて貯水タンクユニットを固定していた。
【０００３】
アンカーボルトでの固定は施工性の点で問題があり、コンクリートブロックにレールを埋め込んで、ボルト・ナットを用いて固定するものも用いられている。
【考案の概要】
【考案が解決しようとする課題】
【０００４】
直接コンクリートを打設する場合にはコンクリートが硬化するのに時間がかかりすぐに貯水タンクユニットを固定できないという問題があった。また、コンクリートブロックを用いる場合には、安定性を確保するために重量が重くなり施工性が悪化し、施工性を重視すると安定性に問題が生じ、さらに、貯水タンクユニットの種類によってはボルト・ナットで固定する貯水タンクユニットの脚の配置が異なり、それに応じてレールの配置が異なる複数のブロックを用意する必要があった。
【０００５】
本考案では、様々な種類の貯水タンクユニットに対応することが可能でかつ施工性に優れた貯水タンクユニット用基礎架台を提供することを目的としている。
【課題を解決するための手段】
【０００６】
本考案の貯水タンクユニット用基礎架台は、第一ブロックと第二ブロックをプレートとボルトを用いて連結し、貯水タンクユニットを支持固定する貯水タンクユニット用基礎架台であって、前記第一ブロックは、ブロック本体と、前記ブロック本体の上面に埋め込まれた、ボルト・ナットが摺動可能に係合された２本または３本のレールから構成され、前記ブロック本体の両側面には持ち手掛かり用の凹部が設けられており、前記レールは、上面にスリット状の開口部が設けられ、両方の端部が前記ボルト・ナットを挿入可能なように開放されており、前記第二ブロックは、ブロック本体と、前記ブロック本体の上面に埋め込まれた、ボルト・ナットが摺動可能に係合された３本のレールから構成され、前記ブロック本体の両側面には持ち手掛かり用の凹部が設けられており、前記レールは、上面にスリット状の開口部が設けられ、片方の端部が前記ボルト・ナットを挿入可能なように開放されており、前記第一ブロックと前記第二ブロックは、前記第一ブロックのレールに対して、前記第二ブロックのレールが垂直になるように配置されて互いに連結されていることを特徴とする。
【０００７】
そして、前記第一ブロックおよび前記第二ブロックのレールの断面形状は、上段の溝部と上段の溝部よりも幅が狭い下段の溝が設けられた下向きの凸形状を成しており、前記上段の溝部は前記ボルト・ナットのナットおよびボルトのヘッド部およびナットが摺動可能でかつ回転不可能な幅に形成され、前記下段の溝部は前記ボルト・ナットのボルトの軸が摺動可能な幅に形成され、前記開口部の幅は、前記ボルト・ナットのナットの直径よりも小さく、前記ボルトの軸の直径よりも大きく形成されている。
【考案の効果】
【０００８】
本考案の貯水タンクユニット用基礎架台は、第一ブロックと第二ブロックをプレートとボルトを用いて連結し、貯水タンクユニットを支持固定する貯水タンクユニット用基礎架台であって、前記第一ブロックは、ブロック本体と、前記ブロック本体の上面に埋め込まれた、ボルト・ナットが摺動可能に係合された２本または３本のレールから構成され、前記ブロック本体の両側面には持ち手掛かり用の凹部が設けられており、前記レールは、上面にスリット状の開口部が設けられ、両方の端部が前記ボルト・ナットを挿入可能なように開放されており、前記第二ブロックは、ブロック本体と、前記ブロック本体の上面に埋め込まれた、ボルト・ナットが摺動可能に係合された３本のレールから構成され、前記ブロック本体の両側面には持ち手掛かり用の凹部が設けられており、前記レールは、上面にスリット状の開口部が設けられ、片方の端部が前記ボルト・ナットを挿入可能なように開放されており、前記第一ブロックと前記第二ブロックは、前記第一ブロックのレールに対して、前記第二ブロックのレールが垂直になるように配置されて互いに連結されていることにより、１つの架台で様々な種類の貯水タンクユニットに対応することが可能となり、製造コストも抑えることができ、また、運搬時には分解することで人力で持ち運べる大きさにすることができ、施工性が大幅に向上する。
【０００９】
そして、前記第一ブロックおよび前記第二ブロックのレールの断面形状は、上段の溝部と上段の溝部よりも幅が狭い下段の溝が設けられた下向きの凸形状を成しており、前記上段の溝部は前記ボルト・ナットのナットおよびボルトのヘッド部およびナットが摺動可能でかつ回転不可能な幅に形成され、前記下段の溝部は前記ボルト・ナットのボルトの軸が摺動可能な幅に形成され、前記開口部の幅は、前記ボルト・ナットのナットの直径よりも小さく、前記ボルトの軸の直径よりも大きく形成されていることにより、ボルト・ナットは上向きおよび下向きの両方の状態でレール内を摺動可能となり、被支持物に応じてボルト・ナットの向きを選択して固定することが可能となる。
【図面の簡単な説明】
【００１０】
【図１】本考案の貯水タンクユニット用基礎架台の斜視図である。
【図２】第一ブロックの斜視図である。
【図３】第二ブロックの斜視図である。
【図４】貯水タンクユニット用基礎架台を分解した状態の斜視図である。
【図５】レールの断面図である。
【図６】貯水タンクユニット用基礎架台を使用した状態を示す斜視図である。
【図７】貯水タンクユニット用基礎架台の断面図である。
【図８】貯水タンクユニット用基礎架台を設置する手順を示す概略図である。
【図９】貯水タンクユニット用基礎架台のレールの部分を拡大した側面図である。
【図１０】貯水タンクユニットの据付が完了した状態を示す斜視図である。
【図１１】貯水タンクユニット用基礎架台のレールの部分を拡大した側面図である。
【図１２】第一，二ブロックの組み合わせ方が異なる場合の斜視図である。
【図１３】別の実施形態の貯水タンクユニット用基礎架台の斜視図である。
【考案を実施するための形態】
【００１１】
以下に、図を用いて本考案の貯水タンクユニット用基礎架台１について詳しく説明する。図１に示すのが、本考案の貯水タンクユニット用基礎架台１の斜視図である。
【００１２】
図１に示すように、本考案の貯水タンクユニット用基礎架台１は、第一ブロック２と第二ブロック３をプレート４とボルト５を用いて連結したものであり、前記第一ブロック２および前記第二ブロック３にはそれぞれ複数のレール６，７が埋め込まれており、前記貯水タンクユニット用基礎架台１は、前記レール６，７に挿入され前記貯水タンクユニットの脚を固定するボルト・ナット１１を備えている。
【００１３】
前記第一ブロック２は、図２に示すように、コンクリート製のブロック本体８と、前記ブロック本体８の上面に埋め込まれた、ボルト・ナット１１が摺動可能に係合される３本のレール６から構成され、前記ブロック本体２の両側面の底面側には持ち手掛かり用の凹部１０が設けられており、前記レール６は、上面にスリット状の開口部１２が設けられ、両方の端部が前記ボルト・ナット１１を挿入可能なように開放されている。
【００１４】
前記第二ブロック３は、図３に示すように、コンクリート製のブロック本体９と、前記ブロック本体９の上面に埋め込まれた、ボルト・ナットが摺動可能に係合される３本のレール７から構成され、前記ブロック本体３の両側面の底面側には持ち手掛かり用の凹部１０が設けられており、前記レール７は、上面にスリット状の開口部１２が設けられ、片方の端部が前記ボルト・ナット１１を挿入可能なように開放されており、もう一方の端部は第二ブロック３内に留まっている。
【００１５】
前記ブロック本体８，９に埋め込まれたレール６，７は、ボルト・ナット１１が摺動可能な大きさに形成されている。図５に示すように、前記レール６，７の上面にスリット状の開口部１２が設けられ、断面形状が、上段の溝部１３と、上段の溝部１３よりも幅が狭い下段の溝部１４が設けられた下向きの凸形状を成している。
【００１６】
前記上段の溝部１３は前記ボルト・ナット１１のナット１６およびボルト１５のヘッド部が摺動可能でかつ回転不可能な幅に、前記下段の溝部１４は前記ボルト・ナット１１のボルト１５の軸１７が摺動可能な幅に形成されている。また、前記開口部１２の幅は、前記ボルト・ナット１１のナット１６の直径よりも小さく、ボルト１５の軸１７よりも大きく形成されている。そのために、前記レール６は両方の端部が前記ボルト・ナット１１を挿入可能とするために開放されており、前記レール７は片方の端部が前記ボルト・ナット１１を挿入可能とするために開放されている。
【００１７】
前記第一部ブロック２と前記第二ブロック３は、２個のプレート４と４個のボルト５を用いて連結されて互いに固定されている。前記第一ブロック２および前記第二ブロック３の両側面には、前記プレート４を前記ボルト５で固定するための前記ボルト５を係合させるインサート１９が埋め込まれている。このような構造により、図４に示すように、前記貯水タンクユニット用基礎架台１はボルト５を外すことで簡単に前記第一部ブロック２と前記第二ブロック３に分解することができるので、貯水タンクユニットを設置する場所に前記貯水タンクユニット用基礎架台１を運搬する際には、前記第一部ブロック２と前記第二ブロック３を凹部１０に手を掛けることで簡単に人力で持ち運びすることが可能となり、施工性が大幅に向上している。
【００１８】
前記第一部ブロック２と前記第二ブロック３を、前記プレート４と前記ボルト５を用いて連結する際には、図１に示すように、前記第一ブロック２のレール６に対して、前記第二ブロック３のレール７が垂直になるように配置する必要がある。これは、前記貯水タンクユニット用基礎架台１を用いて据え付ける貯水タンクユニット２０として、図６に示すように、３本の脚２１が３角形を形成するように設けられているものを対象としており、前記第一ブロック２で２本の脚２１を固定し、前記第二ブロック３で１本の脚２１を固定するためである。
【００１９】
また、前記レール６，７が３本ずつ配置されているのは、前記貯水タンクユニット２０の３本の脚２１の間隔が貯水タンクユニットの種類により異なっているのに対応するためであり、貯水タンクユニット２０の脚２１のピッチに応じて適切なレール６，７を選択して脚２１を固定することができる。これにより、貯水タンクユニットの種類に合わせて様々な種類の貯水タンクユニット用基礎架台１を用意する必要が無いので、製造コストの削減につながる。
【００２０】
前記ブロック本体８，９は貯水タンクユニット２０を支持するために強度を向上させるために、図７の断面図に示すように第一ブロック２および第二ブロック３の内部には鉄筋１８を格子状に配置している。また、施工性考えて、少しでも重量を軽くするために第一ブロック２および第二ブロック３の底面に窪みを設けることも可能である。
【００２１】
本考案の貯水タンクユニット用基礎架台１は上述のような構成となっており、貯水タンクユニット用基礎架台１の施行方法について図を用いて説明する。
【００２２】
一般的に貯水タンクユニット２０は土の地盤上に設置する場合が多く、その場合には、予め貯水タンクユニット用基礎架台１を据え付ける地盤を整える必要があり、図８（ａ）に示すように、所定の深さ、例えば１５ｃｍ程度地面を掘削し、その後地盤を安定させるために地固めを行い、図８（ｂ）に示すように、約８０ｍｍの厚さに砕石２３を敷き詰める。
【００２３】
次に、図８（ｃ）に示すように、砕石２３の上に少量の水で練ったモルタル２４を約３０ｍｍの厚さに敷き詰めて表面を水平に仕上げる。このようにして、前記貯水タンクユニット用基礎架台１を据え付ける地盤を仕上げる。前記貯水タンクユニット用基礎架台１を据え付ける場所がコンクリート等の地盤で平坦で十分な強度がある場合にはこのような作業は不要となり、前記貯水タンクユニット用基礎架台１を直接据え付けることが可能である。
【００２４】
地盤の仕上げが終わったら、設置場所のそばに運んでおいた前記第一ブロック２と前記第二ブロック３を２つのプレート４と４本のボルト５を用いて連結して互いに固定する。そして、図８（ｄ）に示すように、前記第一ブロック２と前記第二ブロック３を連結したものを前記モルタルを敷き詰めた上に設置し、水平を確認する。水平を確認したら前記第一ブロック２と前記第二ブロック３の周囲を埋め戻す。
【００２５】
次に、設置する貯水タンクユニット２０の種類に合わせて使用するレール６，７をそれぞれ選択し、前記レール６，７にボルト・ナット１１を挿入しておく。っこでは、３本のレール６から真ん中のレール６を選択し、３本のレール７から同じく真ん中のレール７を選択する。この時、ボルト・ナット１１の向きが選択可能であり、ここでは、ボルト１５を前記レール６，７に挿入する場合について説明する。
【００２６】
貯水タンクユニットの脚１本に対して２個のボルト・ナット１１を使用するので、前記レール６は２本の脚２１を固定するために４本のボルト１５を上段の溝部１３に開放された端部から挿入し、前記レール６は１本の脚２１を固定するために２本のボルト１５を上段の溝部１３に開放された端部から挿入し、前記脚２１の間隔に合わせて所定の位置にセットする。
【００２７】
ボルト１５をセットしたら貯水タンクユニット２０を貯水タンクユニット用基礎架台１の上に載せる。この時、前記貯水タンクユニット２０の脚２１の底面に設けられたボルト用孔にボルト１５の軸を挿入し上方に突出させておく。そして、図９に示すように、ナット１６を、前記脚の底面のボルト用孔から突出している前記ボルト１５の軸１７にワッシャと共に締め込み、前記貯水タンクユニット２０を貯水タンクユニット用基礎架台１に固定する。前記上段の溝部１３が、ボルト・ナット１１のボルト１５のヘッド部が摺動可能でかつ回転不可能な幅を有していることにより、前記ボルト１５が空回りすることなく容易に締め込むことが可能となっている。全てのナット１６締め付けが終わったら、図１０に示す状態となり、貯水タンクユニット２０の設置が完了する。
【００２８】
このように、本考案の貯水タンクユニット用基礎架台１は設置が簡単であり、かつ、１つの貯水タンクユニット用基礎架台１で様々な貯水タンクユニットに対応することが可能であるため、施工性およびコストの面で優れたものである。
【００２９】
ここでは、ボルト１５をレール６，７に挿入する場合について説明したが、図１１に示すように、ナット１６をレール６，７に挿入しボルト１５を締付けて脚２１を固定することも可能である。また、上述の形態では第一ブロック２と第二ブロック３を連結する際に、第一ブロック２のレール６が第二ブロック３と近くなるように配置しているが、図１２に示すように、第一ブロック２のレール６が第二ブロック３から遠くなるように配置することで、さらに異なる種類の貯水タンクユニットに対応させることも可能である。そして、第一ブロック２にレール６を３本埋め込む形態だけではなく、図１３に示すようにレール６を２本埋め込むことも可能である。
【符号の説明】
【００３０】
１    貯水タンクユニット用基礎架台
２    第一ブロック
３    第二ブロック
４    プレート
５    ボルト
６    レール
７    レール
８    ブロック本体
９    ブロック本体
１０  凹部
１１  ボルト・ナット
１２  開口部
１３  上段の溝部
１４  下段の溝部
１５  ボルト
１６  ナット
１７  軸
１８  鉄筋
１９  インサート
２０  貯水タンクユニット
２１  脚
２２  本体
２３  砕石
２４  モルタル
【図１】
0003153763.tif 000003
【図２】
0003153763.tif 000004
【図３】
0003153763.tif 000005
【図４】
0003153763.tif 000006
【図５】
0003153763.tif 000007
【図６】
0003153763.tif 000008
【図７】
0003153763.tif 000009
【図８】
0003153763.tif 000010
【図９】
0003153763.tif 000011
【図１０】
0003153763.tif 000012
【図１１】
0003153763.tif 000013
【図１２】
0003153763.tif 000014
【図１３】
0003153763.tif 000015